(57)【要約】【課題】主に各種電子機器の操作に用いられるリモコン送信機に関し、簡易な操作で、多様な操作を容易に行えるものを提供することを目的とする。【解決手段】制御手段１５が所定の操作キーが連続操作された状態で、これに隣接する操作キーが操作された場合には、隣接する操作キーに応じたリモコン信号を送信することによって、例えば早送り用の操作キー２Ａを連続操作した状態で、これに隣接する他の操作キー２Ｂを操作した場合には、これに応じた、例えばコマ送り用のリモコン信号を送信することで、ディスクやテープの早送りや巻戻し操作を行う際に、所望の箇所での停止や再生が行い易くなるため、簡易で操作し易く、多様な操作が可能なリモコン送信機を得ることができる。【選択図】図１
2010178251.tif 000002
【特許請求の範囲】
【請求項１】
複数の操作キーが配列された操作手段と、この操作キーの操作によって電気的接離を行うスイッチ接点と、このスイッチ接点の電気的接離に応じて、送信手段からリモコン信号を送信する制御手段からなり、上記制御手段が所定の操作キーが連続操作された状態で、これに隣接する操作キーが操作された場合には、隣接する操作キーに応じたリモコン信号を送信するリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響機器等の各種電子機器の高機能化が進むなか、これらを遠隔操作するリモコン送信機においても、多様な操作を容易に行えるものが求められている。
【０００３】
このような従来のリモコン送信機について、図３を用いて説明する。
【０００４】
図３は、従来のリモコン送信機の斜視図であり、同図において、１は略箱型で絶縁樹脂製のケースで、このケース１上面の開口孔には複数の操作キー２Ａや２Ｂ等が配列され、これらが上下動可能に突出して操作手段２が形成されている。
【０００５】
そして、ケース１内には上下面に複数の配線パターンが形成された配線基板（図示せず）が収納されると共に、操作手段２下方の配線基板上面には、複数の操作キー２Ａや２Ｂの上下動によって電気的接離を行う、複数のスイッチ接点３が形成されている。
【０００６】
また、この配線基板には発光ダイオード等によって送信手段４や、マイコン等によって制御手段５が形成されると共に、この制御手段５に配線パターンを介して、スイッチ接点３や送信手段４が接続されて、リモコン送信機が構成されている。
【０００７】
以上の構成において、リモコン送信機を操作する機器、例えばビデオに向けて、例えば早送り用の操作キー２Ａを押圧操作すると、この下方のスイッチ接点３の電気的接離が行われ、この電気的接離に応じて制御手段５が、送信手段４から赤外線の早送り用のリモコン信号をビデオへ送信し、例えばディスクやテープの早送りが行われる。
【０００８】
そして、このまま早送りを行い、再生したい箇所で操作キー２Ａから指を離すと、早送り用のリモコン信号の送信が停止し、次に再生用の操作キー２Ｂを押圧操作すると、この下方のスイッチ接点３の電気的接離を制御手段５が検出して、送信手段４から再生用のリモコン信号が送信されて、ビデオのディスクやテープの再生が行われる。
【０００９】
つまり、複数の操作キー２Ａや２Ｂの押圧操作によるスイッチ接点３の電気的接離を制御手段５が検出し、これに応じたリモコン信号を送信手段４から送信することによって、ディスクやテープの早送りや再生といった機器の操作を、離れた場所から遠隔操作できるように構成されているものであった。
【００１０】
なお、この出願の発明に関連する先行技術文献情報としては、例えば、特許文献１が知られている。
【特許文献１】特開２００７−５１９７号公報
【発明の開示】
【発明が解決しようとする課題】
【００１１】
しかしながら、上記従来のリモコン送信機においては、ディスクやテープの早送りや巻戻し操作を行う際、所望する箇所ちょうどで操作キーから指を離して操作を停止することは困難で、一旦早送りや巻戻し操作を停止した後、再び巻戻しや早送り操作を繰返す必要があるため、操作が煩雑で手間がかかってしまうという課題があった。
【００１２】
本発明は、このような従来の課題を解決するものであり、簡易な操作で、多様な操作を容易に行えるリモコン送信機を提供することを目的とする。
【課題を解決するための手段】
【００１３】
上記目的を達成するために本発明は、制御手段が所定の操作キーが連続操作された状態で、これに隣接する操作キーが操作された場合には、隣接する操作キーに応じたリモコン信号を送信するようにしてリモコン信号機を構成したものであり、例えば早送り用の操作キーを連続操作した状態で、これに隣接する他の操作キーを操作した場合には、これに応じた、例えばコマ送り用のリモコン信号を送信することで、ディスクやテープの早送りや巻戻し操作を行う際、所望の箇所での停止や再生が行い易くなるため、簡易で操作し易く、多様な操作が可能なリモコン送信機を得ることができるという作用を有するものである。
【発明の効果】
【００１４】
以上のように本発明によれば、簡易な操作で、多様な操作を容易に行えるリモコン送信機を実現できるという有利な効果が得られる。
【発明を実施するための最良の形態】
【００１５】
以下、本発明の実施の形態について、図１及び図２を用いて説明する。
【００１６】
なお、背景技術の項で説明した構成と同一構成の部分には同一符号を付して、詳細な説明を簡略化する。
【００１７】
（実施の形態）
図１は本発明の一実施の形態によるリモコン送信機のブロック回路図、図２は同平面図であり、同図において、１は略箱型でポリスチレンやＡＢＳ等の絶縁樹脂製のケースで、このケース１上面の開口孔には絶縁樹脂やゴム等の複数の操作キー２Ａや２Ｂ等が配列され、これらが上下動可能に突出して操作手段２が形成されている。
【００１８】
そして、ケース１上面の再生用の操作キー２Ｂや録画用の操作キー２Ｃの近傍には、「コマ送」や「４倍」等といった、操作キー２Ｂや２Ｃの本来の操作機能とは異なる機能が表示されている。
【００１９】
また、ケース１内には銅箔等によって上下面に複数の配線パターンが形成された配線基板（図示せず）が収納されると共に、操作手段２下方の配線基板上面には、複数の操作キー２Ａや２Ｂの上下動によって電気的接離を行う、複数のスイッチ接点３が形成されている。
【００２０】
さらに、この配線基板には発光ダイオード等によって送信手段４や、マイコン等によって制御手段１５が形成されると共に、この制御手段１５に配線パターンを介して、スイッチ接点３や送信手段４が接続されて、リモコン送信機が構成されている。
【００２１】
以上の構成において、リモコン送信機を操作する機器、例えばビデオに向けて、例えば早送り用の操作キー２Ａを押圧操作すると、この下方のスイッチ接点３の電気的接離が行われ、この電気的接離に応じて制御手段１５が、送信手段４から赤外線の早送り用のリモコン信号をビデオへ送信し、例えばディスクやテープの早送りが行われる。
【００２２】
そして、このまま操作キー２Ａを押し続け連続操作して早送りを行い、再生あるいは停止したい箇所が近づいた時に、操作キー２Ａに隣接する操作キー、例えば操作キー２Ｂを押圧操作すると、この下方のスイッチ接点３の電気的接離を制御手段１５が検出して、操作キー２Ｂが押圧操作されている間は、早送り用のリモコン信号ではなく、コマ送り用のリモコン信号を送信手段４から送信する。
【００２３】
したがって、この間は、ディスクやテープが早送りではなく、緩やかにコマ送りされるため、機器の例えば液晶表示素子等の表示画面によって画像を見ながら、再生や停止したい所望の箇所まで、画像を確認しながら緩やかに送り操作を行うことができるようになっている。
【００２４】
つまり、例えば早送り用の操作キー２Ａを連続操作した状態で、これに隣接する例えば操作キー２Ｂが押圧操作された場合には、制御手段１５がこれらのスイッチ接点３の電気的接離を検出して、操作キー２Ａの早送り用のリモコン信号に代えて、操作キー２Ｂのコマ送り用のリモコン信号を送信手段４から送信するように構成されている。
【００２５】
そして、再生あるいは停止したい所望の箇所で操作キー２Ａと２Ｂから指を離すと、コマ送り用のリモコン信号の送信が停止し、次に再生用の操作キー２Ｂを押圧操作すると、この下方のスイッチ接点３の電気的接離を制御手段１５が検出して、送信手段４から再生用のリモコン信号が送信されて、所望の箇所からビデオのディスクやテープの再生が行われる。
【００２６】
すなわち、上記のように操作キー２Ａと２Ｂが同時に押圧操作されている場合とは異なり、操作キー２Ｂのみが押圧操作されている場合には、制御手段１５がスイッチ接点３の電気的接離からこれを検出し、操作キー２Ｂの本来の操作機能である再生用のリモコン信号を送信するようになっている。
【００２７】
なお、上記のように操作キー２Ａを連続操作しながら、操作キー２Ｂを押圧操作してコマ送りしている状態で、再生あるいは停止したい所望の箇所がまだ先である場合には、操作キー２Ｂから指を離すと、これを制御手段１５が検出して、コマ送り用のリモコン信号に代えて、連続操作されている操作キー２Ａの早送り用のリモコン信号を送信する。
【００２８】
つまり、早送り用の操作キー２Ａを連続操作した状態で、これに隣接する操作キー２Ｂが押圧操作された場合には、操作キー２Ｂのコマ送り用のリモコン信号が送信されるが、隣接する操作キー２Ｂの操作が中断された場合には、制御手段１５がこれを検出して、連続操作されている操作キー２Ａに応じたリモコン信号、すなわち早送り用のリモコン信号を送信するように構成されている。
【００２９】
さらに、上記のように操作キー２Ａを連続操作し、ディスクやテープを早送りしている状態で、所望の箇所がまだ遥かに先である場合には、操作キー２Ａに隣接する他の操作キー、例えば操作キー２Ｃを押圧操作すると、このスイッチ接点３の電気的接離を制御手段１５が検出して、操作キー２Ｃが押圧操作されている間は、操作キー２Ａよりも速い速度、例えば操作キー２Ａが２倍速であった場合には、操作キー２Ｃの４倍速で早送りが行われる。
【００３０】
したがって、この操作キー２Ａと２Ｃが同時に押圧操作されている間は、ディスクやテープがさらに速い速度で早送りされ、再生あるいは停止したい所望の箇所をより短い時間で選択することができるようになっている。
【００３１】
つまり、操作キー２Ａが連続操作された状態で、これに隣接する操作キー２Ｂまたは２Ｃが操作された場合には、制御手段１５がこの隣接する操作キーに応じたリモコン信号、緩やかなコマ送り用のリモコン信号や、さらに速い速度の４倍速の早送り用のリモコン信号を各々送信することによって、簡易な操作でコマ送りや早送りといった多様な操作を行うことができると共に、所望の箇所での停止や再生を短い時間で容易に行うことが可能なように構成されている。
【００３２】
そして、このような操作を行う操作キーが離れた箇所ではなく、例えば操作キー２Ａに隣接する操作キー２Ｂあるいは２Ｃというように、隣接する操作キーの組み合わせによって行われることで、操作キーの押し間違い等の誤操作もなく、より簡易に操作を行えるようになっている。
【００３３】
なお、以上の説明では、早送り用の操作キー２Ａを連続操作した状態で、これに隣接する操作キー２Ｂや２Ｃを押圧操作し、コマ送りや早送りを行う構成について説明したが、これとは逆に、所定の操作キーを連続操作してディスクやテープを巻戻した状態で、これに隣接する操作キーを操作して、コマ送りやより速い巻戻しを行う構成とすることも可能である。
【００３４】
このように本実施の形態によれば、制御手段１５が所定の操作キーが連続操作された状態で、これに隣接する操作キーが操作された場合には、隣接する操作キーに応じたリモコン信号を送信することによって、例えば早送り用の操作キー２Ａを連続操作した状態で、これに隣接する他の操作キー２Ｂを操作した場合には、これに応じた、例えばコマ送り用のリモコン信号を送信することで、ディスクやテープの早送りや巻戻し操作を行う際に、所望の箇所での停止や再生が行い易くなるため、簡易で操作し易く、多様な操作が可能なリモコン送信機を得ることができるものである。
【００３５】
なお、以上の説明では、主にビデオのディスクやテープの遠隔操作を例として説明したが、他の映像や音響機器、例えばＣＤプレーヤやミュージックテープ等、様々な電子機器を遠隔操作するリモコン送信機についても、本発明の実施は可能である。
【産業上の利用可能性】
【００３６】
本発明によるリモコン送信機は、簡易な操作で、多様な操作が可能なものが得られ、主に各種電子機器の操作用として有用である。
【図面の簡単な説明】
【００３７】
【図１】本発明の一実施の形態によるリモコン送信機のブロック回路図
【図２】同平面図
【図３】従来のリモコン送信機の斜視図
【符号の説明】
【００３８】
１  ケース
２  操作手段
２Ａ、２Ｂ、２Ｃ  操作キー
３  スイッチ接点
４  送信手段
１５  制御手段
【図１】
2010178251.tif 000003
【図２】
2010178251.tif 000004
【図３】
2010178251.tif 000005